(57)【要約】【課題】利用者を撮影するときに生じる陰影を軽減しつつ、所望の眼の画像を含む撮影画像を生成する画像撮影装置を提供する。【解決手段】画像撮影装置（１）は、撮影を行うための撮影空間内の所定領域にいる利用者を撮影する装置である。画像撮影装置（１）は、所定領域から見て撮影空間の正面側に設けられ、利用者を撮影する撮影部（８１）と、正面側で且つ撮影部と異なる位置に設けられ、撮影時に照明光により利用者を照明する照明部（９０Ｂ）と、を備える。照明部（９０Ｂ）は、筐体（１０６）と、筐体内に配置され、撮影時に照明光を出射する少なくとも１つの光源（９１Ｃ，９１Ｄ）と、照明光の一部が利用者に照射されることを防ぐための遮蔽部材（９８）と、を有する。【選択図】図１６
2019032374.tif 000002
【特許請求の範囲】
【請求項１】
撮影を行うための撮影空間内の所定領域にいる利用者を撮影する画像撮影装置であって、
前記所定領域から見て前記撮影空間の正面側に設けられ、利用者を撮影する撮影部と、
前記正面側で且つ前記撮影部と異なる位置に設けられ、撮影時に照明光により前記利用者を照明する照明部と、
を備え、
前記照明部は、
筐体と、
前記筐体内に配置され、撮影時に前記照明光を出射する少なくとも１つの光源と、
前記照明光の一部が前記利用者に照射されることを防ぐための遮蔽部材と、
を有する、画像撮影装置。
【請求項２】
前記所定領域から見て、前記光源は前記遮蔽部材と異なる位置に配置されている、請求項１に記載の画像撮影装置。
【請求項３】
前記筐体と前記光源とを有し、撮影時に照明光により前記利用者を照明する複数の照明部が、前記正面側で且つ前記撮影部と異なる位置に配置されていて、
前記複数の照明部のうちの少なくとも１つが前記遮蔽部材を有する、
請求項１又は請求項２に記載の画像撮影装置。
【請求項４】
前記複数の照明部は、前記撮影部の上方に配置された第１の照明部及び前記撮影部の下方に配置された第２の照明部を含み、
前記遮蔽部材は、前記第２の照明部に設けられる、請求項３に記載の画像撮影装置。
【請求項５】
前記第２の照明部は、さらに、前記筐体の下面と上面との間に、前記筐体によって形成される内部空間を上下の空間に区画するための仕切り部材を有し、
前記遮蔽部材は、前記第２の照明部の下側の空間に配置される、請求項４に記載の画像撮影装置。
【請求項６】
前記遮蔽部材は、前記筐体の前記下面から前記仕切り部材まで延在する、請求項５に記載の画像撮影装置。
【請求項７】
前記第２の照明部の下側の空間内において、前記所定領域から見て、前記光源が前記遮蔽部材の両側に配置される、請求項５又は請求項６に記載の画像撮影装置。
【請求項８】
前記筐体は、前記所定領域側に、前記照明光を拡散する拡散部材を有し、
前記遮蔽部材は、前記拡散部材よりも前記光源側に配置される、請求項１から請求項７のいずれかに記載の画像撮影装置。
【請求項９】
前記遮蔽部材は矩形である、請求項１から請求項８のいずれかに記載の画像撮影装置。
【請求項１０】
前記第２の照明部の上側の空間内に前記光源が配置されていて、
前記第２の照明部は、さらに、前記上側の空間内に配置されている前記光源の上方に前記光源からの照明光を反射する反射部材を有する、請求項５に記載の画像撮影装置。
【請求項１１】
前記第１の照明部から前記利用者に照射される前記照明光の光量は、前記第２の照明部から前記利用者に照射される前記照明光の光量よりも多い、請求項４に記載の画像撮影装置。
【請求項１２】
前記撮影部により生成された撮影画像を表示する表示部をさらに備える、
請求項１から請求項１１のいずれかに記載の画像撮影装置。
【請求項１３】
前記撮影画像が編集されて生成された画像を用紙に印刷する印刷部をさらに備える、請求項１２に記載の画像撮影装置。
【請求項１４】
前記撮影画像が編集されて生成された画像のデータをネットワークを介して外部機器に送信する通信部をさらに備える、請求項１２に記載の画像撮影装置。
【発明の詳細な説明】
【技術分野】
【０００１】
本発明は、人物を撮影し、画像を生成する装置であって、特に、撮影画像における人物の眼の中にキャッチライトを生成する画像撮影装置に関する。
【背景技術】
【０００２】
従来、撮影ブースにおいて利用者（被写体）を撮影し、撮影した画像を編集してシール紙に印刷し、写真シールとして利用者に提供する写真シール作成装置が知られている。
【０００３】
人物を撮影した写真画像において、被写体の人物の瞳および虹彩に適度な光を映りこませると、生き生きとした輝きのある表情が演出できることが知られている（例えば、特許文献１参照）。このような被写体の人物の輝きを強調するために、写真画像において眼（瞳および虹彩）内に映りこませる光（白い輝き）を「キャッチライト」という。
【０００４】
特許文献１の写真シール作成装置は、カメラの上下に配置されたストロボユニットと、カメラの左右に配置された照明ユニットとを備えている。上下のストロボユニットは、ストロボ光を出射するストロボを備える。左右の照明ユニットは、上下のストロボユニットから出射されたストロボ光を反射するレフ板として機能する。特許文献１の写真シール作成装置によれば、上下のストロボユニットから出射されるストロボ光と、左右の照明ユニットによって反射されたストロボ光によって、眼内にキャッチライトが映り込む。
【先行技術文献】
【特許文献】
【０００５】
【特許文献１】特開２０１７−０３７１２３号公報
【発明の概要】
【発明が解決しようとする課題】
【０００６】
人物を撮影するとき、その人物の立ち位置に応じて、首及び顔の輪郭によって影が生じる又はストロボ光が強く当たらない陰の部分が生じる。これらの陰影部分を低減するためには、ストロボ光を強く（光量を多く）する必要がある。しかし、ストロボ光を強くすると、黒目（瞳および虹彩）に映り込むキャッチライトの色が濃い白色（透明度の低い白色）になる。黒目の中において濃い白色の領域が多くなると、黒目が小さく見えてしまう。特に、虹彩の外周部に濃い白色のキャッチライトが帯状に映り込むと、黒目が小さく見えてしまう。
【０００７】
よって、従来は、利用者を撮影するときに生じる陰影を軽減しつつ、所望の眼の画像を含む撮影画像を生成することができなかった。すなわち、完成度の高い撮影画像を生成することができなかった。
【０００８】
本発明は、写真シール作成装置のような被写体を撮像して画像を生成する画像撮影装置であって、完成度の高い撮影画像を生成することができる画像撮影装置を提供することを目的とする。具体的には、本発明は、利用者を撮影するときに生じる陰影を軽減しつつ、所望の眼の画像を含む撮影画像を生成する画像撮影装置を提供することを目的とする。
【課題を解決するための手段】
【０００９】
本発明に係る画像撮影装置は、撮影を行うための撮影空間内の所定領域にいる利用者を撮影する装置である。画像撮影装置は、所定領域から見て撮影空間の正面側に設けられ、利用者を撮影する撮影部と、正面側で且つ撮影部と異なる位置に設けられ、撮影時に照明光により利用者を照明する照明部と、を備える。照明部は、筐体と、筐体内に配置され、撮影時に照明光を出射する少なくとも１つの光源と、照明光の一部が利用者に照射されることを防ぐための遮蔽部材と、を有する。
【発明の効果】
【００１０】
本発明に係る画像撮影装置によれば、完成度の高い撮影画像を生成することができる。具体的には、本発明に係る画像撮影装置によれば、利用者を撮影するときに生じる陰影を軽減しつつ、所望の眼の画像を含む撮影画像を生成することができる。例えば、適度にキャッチライトが映り込んだ大きな黒目（くりっとしたうるおい感のある目）の画像を生成することができる。
【図面の簡単な説明】
【００１１】
【図１】本発明の一実施の形態である写真シール作成装置の斜視図である。
【図２】図１の反対側から見た写真シール作成装置の斜視図である。
【図３】図１の写真シール作成装置にカーテンを取り付けた状態を示す斜視図である。
【図４】事前選択部の正面図である。
【図５】撮影操作部の正面図（拡散カバーが装着された状態）（図２のＡ−Ａ断面図）である。
【図６】天井ストロボおよび側面ストロボを示す正面図（図２のＢ−Ｂ断面図）である。
【図７】天井ストロボおよび側面ストロボを示す一部拡大図である。
【図８】背景部の正面図（図２のＣ−Ｃ断面図）である。
【図９】編集ユニットの編集空間側の正面図である。
【図１０】編集ユニットの左側面図である。
【図１１】写真シール作成装置の内部構成を示すブロック図である。
【図１２】写真シール作成ゲーム中の利用者の空間移動を説明するための図である。
【図１３】写真シール作成装置による写真シール作成ゲームに関する一連の動作を示すフローチャートである。
【図１４】写真シール作成装置の撮影空間内において、カメラの光軸を通る鉛直方向の仮想平面から右側面側を見た図（図５のＤ−Ｄ断面図）である。
【図１５】撮影操作部の斜視図（下ストロボユニットの一部のみ分解斜視図）である。
【図１６】撮影操作部の正面図（拡散カバーが装着されていない状態）（図２のＡ−Ａ断面図）である。
【図１７】下ストロボユニットの内部構成を示す斜視図（拡散カバーが装着されていない状態）である。
【図１８】遮蔽板とゴムの一例を示す図である。
【図１９】（ａ）は遮蔽板が無い場合のキャッチライトの例を模式的に示した図であり、（ｂ）は遮蔽板が有る場合のキャッチライトの例を模式的に示した図である。
【図２０】遮蔽板を備えた写真シール作成装置で画像を撮影したときに生成されるキャッチライトの画像例を示した図である。
【図２１】遮蔽板のバリエーションを説明した図である。
【発明を実施するための形態】
【００１２】
以下、本発明の具体的な実施の形態について添付の図面を参照しながら説明する。以下の特定の実施の形態で説明する構成以外の構成については、必要に応じて説明を省略する場合があるが、他の実施の形態で説明されている場合は、その構成と同じである。また、説明の便宜上、各実施の形態に示した部材と同一の機能を有する部材については、同一の符号を付し、適宜その説明を省略する。さらに、各図面に記載した構成の形状、ならびに、長さ、奥行および幅などの寸法は、実際の形状および寸法を反映させたものではなく、図面の明瞭化と簡略化のために適宜変更している。
【００１３】
＜実施の形態１＞
本発明の一実施の形態である写真シール作成装置は、撮影や編集などを利用者にゲーム（遊戯サービス）として行わせ、その撮影・編集した画像を、写真シールやデータとして利用者に提供するゲーム装置（遊戯サービス提供装置）である。写真シール作成装置は、例えば、ゲームセンタ、ショッピングモールおよび観光地の店舗などに設置される。
【００１４】
写真シール作成装置が提供するゲームにおいて、利用者は、写真シール作成装置に設けられたカメラを用いて自分自身などを撮影する。利用者は、その撮影画像に対して、前景画像および／または背景画像を合成したり、また、編集用合成用画像としてのペン画像入力やスタンプ画像入力などの編集機能（落書き編集機能）を用いたりして編集を行い、撮影画像を彩り豊かなものにデザインする。そしてゲーム終了後、利用者は、編集した画像が印刷された写真シールなどを成果物として受け取る。または、写真シール作成装置は編集した画像を利用者の携帯端末に提供し、利用者は携帯端末により成果物を受け取ることもできる。
【００１５】
１．  写真シール作成装置の外観構成
１．１  全体構成
図１から図３は、写真シール作成装置１の外観の構成例を示す斜視図である。写真シール作成装置１は、カメラによって撮影した撮影画像や、撮影画像に編集を加えた編集画像を提供するゲーム機である。写真シール作成装置１は、画像をシール紙に印刷したり、画像を利用者の携帯端末上で閲覧可能にするためにその画像をサーバに送信したりすることで、利用者に画像を提供する。写真シール作成装置１の利用者は、主に女子高生などの若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００１６】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が華やかな画像に編集される。利用者は、編集済みの画像である編集画像が印刷されたシール紙を受け取って一連のゲームを終了させる。
【００１７】
図１に示すように、写真シール作成装置１は、基本的に、撮影画像を生成するための撮影ユニット１１と、生成された撮影画像を編集するための編集ユニット１２とを備えている。
【００１８】
撮影ユニット１１は、撮影準備を行うための事前選択操作部２０、及び撮影を行うための撮影操作部２１と背景部２２と撮影補助部２３から構成される。事前選択操作部２０は、撮影操作部２１の側面に設置される。事前選択操作部２０の前方の空間が、事前選択処理が行われる事前選択空間となる（図１２の事前選択空間Ａ０を参照）。また、撮影操作部２１と背景部２２とは、所定の距離を隔てて設けられている。本実施の形態では、写真シール作成装置１において、撮影操作部２１が設けられた空間と、背景部２２が設けられた空間と、撮影操作部２１と背景部２２との間の空間とを、撮影を行う「撮影空間」と称する。また、撮影空間のうち、撮影操作部２１が設けられた空間を「撮影空間前方部」、背景部２２が設けられた空間を「撮影空間後方部」、および撮影空間前方部と撮影空間前方部との間の空間を「撮影空間中央部」と称する（図１２の撮影空間前方部Ａ１−１、撮影空間中央部Ａ１−２、及び撮影空間後方部Ａ１−３を参照）。撮影空間中央部Ａ１−２及び撮影空間後方部Ａ１−３が、利用者が撮影用のポーズをとるための「利用者立ち位置領域」となる（図１２の利用者立ち位置領域Ａ１−２３を参照）。撮影補助部２３は、撮影空間中央部Ａ１−２に配置されている部材に相当する。
【００１９】
事前選択操作部２０は、事前選択処理として、写真シール作成装置１によって提供されるゲームを紹介するガイダンスを行ったり、撮影空間で行われる撮影処理における各種の設定を利用者に選択させるための処理を行ったりする。事前選択操作部２０には、利用者が代金を投入する硬貨投入口や、各種の操作に用いられるタッチパネルモニタなどが設けられる。事前選択操作部２０は、撮影空間の空き状況に応じて、適宜、事前選択空間にいる利用者を撮影空間へと案内する。
【００２０】
撮影操作部２１には、利用者を被写体として撮影するための装置が設置されている。撮影操作部２１は、撮影空間に入った利用者から見て正面、すなわち撮影空間前方部Ａ１−１に位置する。撮影操作部２１には、カメラや、各種の操作に用いられるタッチパネルモニタなどが設けられる。撮影空間前方部Ａ１−１を正面に見ている利用者からみて左側の面を左側面、右側の面を右側面とすると、撮影操作部２１の左側面には側面パネル４１Ａが設けられ、右側面には側面パネル４１Ｂが設けられる。さらに、撮影空間前方部Ａ１−１を正面に見ている利用者からみて、撮影操作部２１の正面奥には正面パネル４２が設けられる。本実施の形態では、側面パネル４１Ａに、上述した事前選択操作部２０が設置されている。なお、事前選択操作部２０は、側面パネル４１Ｂに設置されるようにしてもよいし、側面パネル４１Ａ，４１Ｂの両方に設置されるようにしてもよい。
【００２１】
背景部２２は、背面パネル５１、側面パネル５２Ａ、および側面パネル５２Ｂを備えている。背面パネル５１は、撮影空間前方部Ａ１−１を正面に見ている利用者の背面側に位置する板状の部材である。撮影空間後方部Ａ１−３を正面に見ている利用者からみて右側の面を右側面、左側の面を左側面とすると、背景部２２の右側面には側面パネル５２Ａが設けられ、左側面には側面パネル５２Ｂが設けられる。側面パネル５２Ａは、側面パネル４１Ａより横幅の狭い板状の部材である。側面パネル５２Ｂは、側面パネル４１Ｂより横幅の狭い板状の部材である。
【００２２】
側面パネル４１Ａと側面パネル５２Ａは、ほぼ同一平面に設けられる。側面パネル４１Ａには、縦フレーム２４Ａが取り付けられ、縦フレーム２４Ａの上には側面フレーム２５Ａ、縦フレーム２４Ａの下には連結フレーム２６Ａが取り付けられる。側面パネル４１Ａと側面パネル５２Ａは、縦フレーム２４Ａ、側面フレーム２５Ａ、および連結フレーム２６Ａを介して、連結される。
【００２３】
側面パネル４１Ｂと側面パネル５２Ｂも同様に、ほぼ同一平面に設けられる。側面パネル４１Ｂには、縦フレーム２４Ｂが取り付けられ、縦フレーム２４Ｂの上には側面フレーム２５Ｂ、縦フレーム２４Ｂの下には連結フレーム２６Ｂが取り付けられる。側面パネル４１Ｂと側面パネル５２Ｂは、縦フレーム２４Ｂ、側面フレーム２５Ｂ、および連結フレーム２６Ｂを介して、連結される。
【００２４】
撮影補助部２３は、利用者立ち位置領域Ａ１−２３（撮影空間中央部Ａ１−２及び撮影空間後方部Ａ１−３）における床面を形成する部材である床部２３Ａを含む。床部２３Ａは、連結フレーム２６Ａ，２６Ｂに取り付けられている。
【００２５】
なお、背面パネル５１の撮影空間側の面には、例えば緑色のクロマキー用のシートが、上下に昇降可能に取り付けられる。撮影時には、クロマキー用のシートが降りてきて、背面パネル５１の撮影空間側の面を覆い、撮影終了時には、シートが巻き取られて上昇する。写真シール作成装置１は、クロマキー用のシートを背景として撮影することで、撮影処理や編集処理においてクロマキー合成を行う。これにより、利用者が所望する背景画像が
シートの部分に合成される。
【００２６】
側面パネル４１Ａ、縦フレーム２４Ａ、側面フレーム２５Ａ、連結フレーム２６Ａ、および側面パネル５２Ａに囲まれることによって形成される開口が利用者立ち位置領域Ａ１−２３（撮影空間中央部Ａ１−２及び撮影空間後方部Ａ１−３）の出入り口となる。また、側面パネル４１Ｂ、縦フレーム２４Ｂ、側面フレーム２５Ｂ、連結フレーム２６Ｂ、および側面パネル５２Ｂに囲まれることによって形成される開口も利用者立ち位置領域Ａ１−２３（撮影空間中央部Ａ１−２及び撮影空間後方部Ａ１−３）の出入り口となる。
【００２７】
写真シール作成装置１がゲームセンタなどに設置される場合には、これらの利用者立ち位置領域Ａ１−２３の出入り口に、図３に示すように、カーテン２が取り付けられる。利用者立ち位置領域Ａ１−２３に立って撮影を行っている利用者は、カーテン２によって外部からは見えないようになっている。
【００２８】
撮影空間の四方は、正面パネル４２、背面パネル５１、側面パネル４１Ａ，４１Ｂ，５２Ａ，５２Ｂ、及びカーテン２によって、画定される。
【００２９】
編集ユニット１２は、撮影画像に編集を施すための装置である。編集ユニット１２は、一方の側面が撮影操作部２１の正面パネル４２に接するようにして、撮影ユニット１１に連結している。
【００３０】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００３１】
編集ユニット１２の正面側は、面６１と、面６１の上方に形成された斜面６２から構成される。面６１は、床面に対して垂直で、撮影操作部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。支持部６３Ａの上面にはカーテンレール２７を支持する支持部６５が設けられる。
【００３２】
編集ユニット１２の上方にはカーテンレール２７が取り付けられる。カーテンレール２７は、３本のレール２７Ａ，２７Ｂ，２７Ｃが組み合わされて、構成される。３本のレール２７Ａ，２７Ｂ，２７Ｃは、上から見たときの形状がコの字状となるように組み合わせられる。平行に設けられるレール２７Ａとレール２７Ｂの一端は、側面フレーム２５Ａ，２５Ｂにそれぞれ固定され、レール２７Ａとレール２７Ｂの他端は、レール２７Ｃの両端にそれぞれ接合される。
【００３３】
カーテンレール２７には、図３に示すカーテン３，４が取り付けられる。カーテン３，４により囲まれる編集ユニット１２の正面前方の空間と背面後方の空間が、利用者が編集作業を行う編集空間となる。カーテン３，４により、編集ユニット１２の正面前方の空間（図１２の編集空間Ａ２−１）と背面前方の空間（図１２の編集空間Ａ２−２）が外から見えないようになっている。なお、編集ユニット１２の正面前方に取り付けられたカーテン３は、二重になっている。
【００３４】
また、後述するが、編集ユニット１２の左側面には、印刷済みのシール紙が排出される排出口が設けられる。編集ユニット１２の左側面前方の空間が、利用者が印刷済みのシール紙が排出されるのを待つ印刷待ち空間（図１２の印刷待ち空間Ａ３）となる。
【００３５】
１．２  事前選択操作部の構成
次に、各装置の構成について説明する。図４は、事前選択操作部２０の正面図である。
【００３６】
事前選択操作部２０の上側にはタッチパネルモニタ７１が設けられる。タッチパネルモニタ７１は、ＬＣＤ(Liquid Crystal Display)などのモニタと、それに積層されたタッチパネルにより構成される。タッチパネルモニタ７１は、各種のＧＵＩ(Graphical User Interface)を表示し、利用者の選択操作を受け付ける機能を備えている。タッチパネルモニタ７１には、撮影に関するコースの選択、編集の対象となる編集対象画像における背景となる画像の選択、作成画像のレイアウト、画像作成ゲーム中に流れるＢＧＭ（Back Ground Music）、音および音声の少なくともいずれかの選択、並びに利用者の名前の入力などを行わせる事前選択処理に用いられる画面が表示される。
【００３７】
撮影に関するコースは、利用者が２人で撮影を行う２人用コースと、３人以上で撮影を行う大人数コースとが用意されている。また、男女のカップルで撮影を行うカップルコースが用意されていてもよい。
【００３８】
タッチパネルモニタ７１の下方には、スピーカ７２が設けられる。スピーカ７２は、事前選択処理の音声案内、ＢＧＭ、効果音などを出力する。また、スピーカ７２に隣接するようにして、利用者が硬貨を入れる硬貨投入返却口７３が設けられる。
【００３９】
１．３  撮影操作部の構成
図５は、撮影操作部２１の正面図（図２のＡ−Ａ断面図）である。撮影操作部２１は、側面パネル４１Ａ、側面パネル４１Ｂ、および正面パネル４２に囲まれるようにして構成される。
【００４０】
正面パネル４２の中央には、カメラユニット８０が設けられる。カメラユニット８０は、カメラ８１（撮影部の一例）およびタッチパネルモニタ８２（表示部の一例）から構成される。
【００４１】
カメラ８１は、例えば一眼レフカメラであり、レンズが露出するようにカメラユニット８０の内部に取り付けられる。カメラ８１は、ＣＣＤ（Charge Coupled Device）イメージセンサやＣＭＯＳ（Complementary Metal Oxide Semiconductor）イメージセンサなどの撮像素子を有し、利用者立ち位置領域Ａ１−２３にいる利用者を撮影する。カメラ８１により取り込まれた動画像（以下、ライブビュー表示画像ともいう）は、タッチパネルモニタ８２にリアルタイムで表示される。撮影が指示されたときなどの所定のタイミングでカメラ８１により取り込まれた静止画像は、撮影画像として保存される。
【００４２】
タッチパネルモニタ８２は、カメラ８１の下方に設けられる。タッチパネルモニタ８２は、ＬＣＤなどのモニタと、それに積層されたタッチパネルにより構成される。タッチパネルモニタ８２は、カメラ８１により取り込まれた動画像を表示するライブビューモニタとしての機能と、各種のＧＵＩを表示し利用者の選択操作を受け付ける機能を備えている。当該選択操作の具体例としては、撮影開始および終了の指示（撮影の制御指示）などが挙げられる。タッチパネルモニタ８２には、カメラ８１により取り込まれた動画像（ライブビュー画像）や静止画像（撮影画像）が表示される。
【００４３】
カメラユニット８０の上方には、曲面の発光面を利用者に向けた上ストロボユニット９０Ａが設置される。上ストロボユニット９０Ａは、正面上方から利用者の顔および上半身に光を照射する。また、カメラユニット８０の下方には、下ストロボユニット９０Ｂが設けられる。下ストロボユニット９０Ｂは、正面下方から利用者の上半身、下半身および足元に光を照射する。上ストロボユニット９０Ａ及び下ストロボユニット９０Ｂは、瞬間光（閃光）であるストロボ光を出射するストロボと、一定の明るさを保つ定常光を出射するＬＥＤランプとを備える。ここで、ストロボは、瞬間光（閃光）を出射する光源（瞬間光源）の一例である。ＬＥＤランプは、定常光を出射する光源（定常光源）の一例である。上ストロボユニット９０Ａ及び下ストロボユニット９０Ｂの詳細な構成については後述する。
【００４４】
下ストロボユニット９０Ｂ上には、シャッターボタン８５（操作ボタン）が設置されている。
【００４５】
なお、図示はしないが、正面パネル４２の例えば天井付近には、スピーカが設けられる。そのスピーカは、撮影処理の案内音声、ＢＧＭ、効果音などを出力する。
【００４６】
１．４  撮影補助部の構成
図６は、背景部２２から見た撮影空間の正面図（図２のＢ−Ｂ断面図）である。図７は、天井ストロボユニットと、右側面ストロボユニットの周辺を示す一部拡大斜視図である。
【００４７】
撮影空間の上方には、撮影操作部２１の正面パネル４２、側面パネル４１Ａ，４１Ｂ、および側面パネル５２Ａ，５２Ｂに囲まれた天井１５が形成される。天井１５には、天井ストロボユニット９０Ｃが設けられる。天井ストロボユニット９０Ｃは、写真シール作成装置１の奥行き方向（背景部２２から撮影操作部２１に向かう方向）において、撮影空間中央部Ａ１−２の中央位置よりも、やや撮影操作部２１寄りの位置に設けられる。また、天井ストロボユニット９０Ｃは、写真シール作成装置１の幅方向（撮影操作部２１の側面パネル４１Ａから側面パネル４１Ｂに向かう方向）においては、側面パネル４１Ａ側または側面パネル４１Ｂ側のいずれにも偏ることなく、ほぼ中間位置に設けられる。天井ストロボユニット９０Ｃはストロボ（瞬間光源の一例）を有する。利用者が撮影空間後方部Ａ１−３に立ったときは、天井ストロボユニット９０Ｃのストロボによってストロボ光が利用者の顔に照射される。すなわち、天井ストロボユニット９０Ｃは、利用者の立ち位置がカメラ８１から遠い位置（背景部２２側）のときにメインライトとして機能する。天井ストロボユニット９０Ｃには、ストロボの他に、定常光を出射するＬＥＤ蛍光灯（定常光源の一例）が設けられている。これにより、天井ストロボユニット９０Ｃは、撮影空間の照明としても機能する。
【００４８】
撮影空間中央部Ａ１−２において、側面フレーム２５Ｂおよび側面フレーム２５Ａには、それぞれ、右側面ストロボユニット９０Ｄおよび左側面ストロボユニット９０Ｅが取り付けられる。右側面ストロボユニット９０Ｄおよび左側面ストロボユニット９０Ｅは、写真シール作成装置１の奥行き方向（背景部２２から撮影操作部２１に向かう方向）においては、天井ストロボユニット９０Ｃよりも、やや背景部２２寄りの位置に設けられる。右側面ストロボユニット９０Ｄおよび左側面ストロボユニット９０Ｅは、それぞれストロボ（瞬間光源の一例）を有し、それぞれの照射面を床部２３Ａ側に傾けて設置される。右側面ストロボユニット９０Ｄおよび左側面ストロボユニット９０Ｅは、利用者立ち位置領域Ａ１−２３に立つ利用者に、それぞれ右横上方および左横上方からストロボ光を照射する。右側面ストロボユニット９０Ｄ及び左側面ストロボユニット９０Ｅが、利用者の上方から利用者の頭頂部にストロボ光を照射することによって、撮影画像において立体感が生成される。右側面ストロボユニット９０Ｄおよび左側面ストロボユニット９０Ｅには、ルーバ３１が設けられる。ルーバ３１によって、光の直進性が担保される。
【００４９】
１．５  背景部の構成
図８は、撮影空間内から見た背景部２２の正面図（図２のＣ−Ｃ断面図）である。
【００５０】
背面パネル５１の上部には、シート可動部１２２が設けられている。シート可動部１２２は、撮影時に、クロマキーシート１２１を図８に示す位置Ｐ１２１まで降下させ、クロマキーシート１２１は、背面パネル５１の撮影空間側（図中、手前側）の面を覆う。撮影が終了すると、シート可動部１２２は、クロマキーシート１２１を巻き取り、シート可動部１２２内に収容する。クロマキーシート１２１の色は、例えば緑色とされる。なお、クロマキーシート１２１は、背面パネル５１の撮影空間側の面に予め貼り付けられていてもよい。
【００５１】
なお、図示はしないが、側面パネル５２Ａ，５２Ｂの撮影空間側の面にも、クロマキーシート１２１と同様に、クロマキーシートが貼り付けられていてもよい。
【００５２】
１．６  編集ユニットの構成
図９は、編集ユニット１２（編集空間側）の正面図である。
【００５３】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。タブレット内蔵モニタ１３１は、タブレットがディスプレイを露出するように設けられることによって構成される。タブレットは、タッチペン１３２Ａまたはタッチペン１３２Ｂを用いた操作入力を可能とする。タブレット内蔵モニタ１３１には、例えば、編集作業に用いられる編集画面が表示される。例えば、２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００５４】
図１０は、編集ユニット１２の左側面図である。編集ユニット１２の左側面の下側にはシール紙排出口１６１が設けられる。編集ユニット１２の内部にはプリンタが設けられている。そのプリンタにより、編集作業を行った利用者が写る画像が所定のレイアウトでシール紙に印刷され、シール紙排出口１６１から排出される。
【００５５】
２．  写真シール作成装置の内部構成
図１１は、写真シール作成装置１の内部の構成例を示すブロック図である。図１１において、上述した構成と同じ構成には同じ符号を付してある。重複する説明については適宜省略する。
【００５６】
制御部２０１はＣＰＵ(Central Processing Unit)などにより構成される。制御部２０１は、ＲＯＭ(Read Only Memory)２０６や記憶部２０２に記憶されているプログラムを実行し、写真シール作成装置１の全体の動作を制御する。制御部２０１には、記憶部２０２、通信部２０３、ドライブ２０４、ＲＯＭ２０６、及びＲＡＭ(Random Access Memory)２０７が接続される。制御部２０１には、事前選択操作部２０、撮影操作部２１、背景部２２、撮影補助部２３、編集操作部２８Ａ，２８Ｂ、および印刷部２９の各構成も接続される。
【００５７】
記憶部２０２は、ハードディスクやフラッシュメモリなどの不揮発性の記憶媒体である。記憶部２０２は、制御部２０１から供給された各種の設定情報などを記憶する。記憶部２０２に記憶されている情報は制御部２０１により適宜読み出される。
【００５８】
通信部２０３は、インターネットなどのネットワークのインタフェースである。通信部２０３は、制御部２０１による制御に従って外部の装置と通信を行う。通信部２０３は、例えば、利用者に選択された撮影画像や編集画像をサーバ（外部機器の一例）に送信する。通信部２０３から送信された画像は、サーバにおいて所定の記憶領域が割り当てられて保存され、サーバにアクセスしてきた携帯端末に表示されたり、ダウンロードされたりする。
【００５９】
ドライブ２０４には、光ディスクや半導体メモリなどよりなるリムーバブルメディア２０５が適宜装着される。ドライブ２０４によりリムーバブルメディア２０５から読み出されたプログラムやデータは、制御部２０１に供給され、記憶部２０２に記憶されたり、インストールされたりする。
【００６０】
ＲＯＭ２０６は、制御部２０１において実行されるプログラムやデータを記憶する。ＲＡＭ２０７は、制御部２０１が処理するデータやプログラムを一時的に記憶する。
【００６１】
事前選択操作部２０は、事前選択空間にいる利用者を対象とした事前選択処理を実現する。事前選択操作部２０は、タッチパネルモニタ７１、スピーカ７２、および硬貨処理部７４を含む。
【００６２】
タッチパネルモニタ７１は、制御部２０１による制御に従って各種の選択画面を表示し、選択画面に対する利用者の操作を受け付ける。利用者の操作の内容を表す入力信号は制御部２０１に供給され、各種の設定が行われる。
【００６３】
硬貨処理部７４は、硬貨投入返却口７３への硬貨の投入を検出する。硬貨処理部７４は、所定の金額分の硬貨が投入されたことを検出した場合、ゲームの開始を指示する起動信号を制御部２０１に出力する。
【００６４】
撮影操作部２１は、利用者立ち位置領域Ａ１−２３にいる利用者を対象とした撮影処理を実現する。撮影操作部２１は、上ストロボユニット９０Ａ、下ストロボユニット９０Ｂ、カメラ８１、タッチパネルモニタ８２、およびスピーカ８３を含む。
【００６５】
撮影補助部２３は、天井ストロボユニット９０Ｃ、右側面ストロボユニット９０Ｄ、および左側面ストロボユニット９０Ｅを含む。
【００６６】
上ストロボユニット９０Ａ、下ストロボユニット９０Ｂ、天井ストロボユニット９０Ｃ、右側面ストロボユニット９０Ｄ、および左側面ストロボユニット９０Ｅは、制御部２０１から供給される照明制御信号に従って発光する。以下、上ストロボユニット９０Ａ、下ストロボユニット９０Ｂ、天井ストロボユニット９０Ｃ、右側面ストロボユニット９０Ｄ、および左側面ストロボユニット９０Ｅを特に区別しない場合には、単に、ストロボユニット９０という。
【００６７】
カメラ８１は、制御部２０１によるシャッタ制御に従って撮影を行い、撮影によって得られた撮影画像（画像データ）を制御部２０１に出力する。
【００６８】
背景部２２は、シート可動部１２２を含む。シート可動部１２２は、制御部２０１から供給される制御信号に従って、クロマキーシート１２１の降下と、巻き取りによる上昇を行う。
【００６９】
編集操作部２８Ａは、編集空間において編集作業をしている利用者を対象とした編集処理を実現する。編集操作部２８Ａは、照明装置６４、タブレット内蔵モニタ１３１、タッチペン１３２Ａ，１３２Ｂ、およびスピーカ１３３を備えている。編集操作部２８Ｂは、編集操作部２８Ａと反対側の編集空間にいる利用者を対象とした編集処理を実現し、編集操作部２８Ａと同一の構成を有する。なお、以下、編集操作部２８Ａ，２８Ｂを特に区別しない場合には、単に、編集操作部２８という。編集操作部２８Ａ，２８Ｂが、編集ユニット１２を構成する。
【００７０】
タブレット内蔵モニタ１３１は、制御部２０１による制御に従って編集画面を表示し、編集画面に対する利用者の操作を受け付ける。利用者の操作の内容を表す入力信号は制御部２０１に供給され、編集対象となる撮影画像が編集される。
【００７１】
印刷部２９は、印刷済みのシール紙を利用者に提供する印刷処理を実現する。印刷部２９は、プリンタ１４０を含むように構成される。プリンタ１４０にはシール紙ユニット１４１が装着される。プリンタ１４０は、制御部２０１から供給された印刷データに基づいて、編集画像をシール紙ユニット１４１に収納されているシール紙１４２に印刷し、シール紙排出口１６１に排出する。
【００７２】
３．  利用者の移動
ここで、画像作成ゲームの流れと、それに伴う利用者の移動について説明する。図１２は、写真シール作成ゲーム中の利用者の空間移動を説明するための図である。図１２において、正面パネル４２、背面パネル５１、及び側面パネル４１Ａ，４１Ｂ，５２Ａ，５２Ｂで囲われた領域内が撮影空間である。撮影空間は、撮影操作部２１が設けられている撮影空間前方部Ａ１−１と、背景部２２が設けられている撮影空間後方部Ａ１−３と、撮影空間前方部Ａ１−１と撮影空間後方部Ａ１−３との間に位置する撮影空間中央部Ａ１−２とを含む。撮影空間中央部Ａ１−２と撮影空間後方部Ａ１−３が、利用者立ち位置領域Ａ１−２３である。
【００７３】
まず、利用者は、事前選択操作部２０の前方の空間である事前選択空間Ａ０において硬貨投入口に代金を投入する。次に、利用者は、タッチパネルモニタ７１に表示される画面に従って各種の設定を行う。利用者は、例えば、撮影空間で行われる撮影に関するコースの選択などを事前選択作業として行う。
【００７４】
事前選択作業を終えた利用者は、白抜き矢印＃１で示すように、側面パネル４１Ａと側面パネル５２Ａの間の出入り口Ｇ１から、利用者立ち位置領域Ａ１−２３に入る。そして利用者は、撮影操作部２１に設けられたカメラ８１やタッチパネルモニタ８２など利用して撮影作業を行う。
【００７５】
撮影作業を終えた利用者は、白抜き矢印＃２で示すように出入り口Ｇ１から利用者立ち位置領域Ａ１−２３を出て編集空間Ａ２−１に移動するか、または、白抜き矢印＃３で示すように出入り口Ｇ２から利用者立ち位置領域Ａ１−２３を出て編集空間Ａ２−２に移動する。
【００７６】
編集空間Ａ２−１は、編集ユニット１２の正面側（編集操作部２８Ａ側）の編集空間である。一方、編集空間Ａ２−２は、編集ユニット１２の背面側（編集操作部２８Ｂ側）の編集空間である。利用者が編集空間Ａ２−１と編集空間Ａ２−２のいずれの空間に移動するのかは、撮影操作部２１のタッチパネルモニタ８２の画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００７７】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００７８】
印刷待ち空間Ａ３に移動した利用者は、画像の印刷の終了を待つ。印刷が終了すると、利用者は、編集ユニット１２の右側面に設けられたシール紙排出口１６１から排出されたシール紙を受け取り、一連の画像作成ゲームを終える。
【００７９】
４．  写真シール作成ゲームの流れ
次に、利用者が写真シール作成装置１において写真シール作成ゲームを行う処理の流れについて、図１３を用いて説明する。図１３は、写真シール作成装置１におけるゲームの開始から当該ゲームで写真シールを作成するまでの処理の流れを示すフローチャートである。
【００８０】
ゲーム開始前の状態においては、写真シール作成装置１の制御部２０１は、事前選択操作部２０のタッチパネルモニタ７１に、硬貨の投入を促すメッセージを表示させる。また、制御部２０１は、図１３に示すように、硬貨処理部７４からの起動信号の有無に基づいて、硬貨投入返却口７３に硬貨が投入されたか否かを判定する（Ｓ１）。制御部２０１は、硬貨投入返却口７３に硬貨が投入されていないと判定した場合には（Ｓ１：ＮＯ）、硬貨が投入されたか否かの判定処理を継続する。
【００８１】
ゲームを開始しようとする利用者は、事前選択操作部２０の前方の空間である事前選択空間Ａ０において硬貨投入返却口７３に硬貨を投入する。硬貨投入返却口７３へ硬貨が投入されると、硬貨処理部７４からゲームの開始を指示する起動信号が出力される。制御部２０１は、硬貨処理部７４から起動信号を入力すると、硬貨投入返却口７３に硬貨が投入されたと判定し（Ｓ１：ＹＥＳ）、利用者に対して事前接客処理を実行する（Ｓ２）。
【００８２】
事前接客処理においては、制御部２０１は、タッチパネルモニタ７１に、コースの選択、名前の入力、およびデザインの選択などを促すメッセージなどを表示させる。利用者が、タッチパネルモニタ７１に表示されるメッセージなどに従って各種の選択または入力を行うと、制御部２０１は、コース、名前、デザイン、および印刷レイアウトなどの設定を行う。
【００８３】
事前接客処理が終了すると、制御部２０１は、利用者に対して撮影空間に移動して撮影を行うことを促すメッセージなどをタッチパネルモニタ７１に表示させる。制御部２０１は、撮影操作部２１のタッチパネルモニタ８２に、スタートボタンを表示させる。撮影空間に移動した利用者が、タッチパネルモニタ８２に表示されたスタートボタンにタッチすると、制御部２０１は、スタートボタンがタッチされたことを読み取り、撮影処理を開始する（Ｓ３）。
【００８４】
撮影処理においては、制御部２０１は、利用者を立ち位置に誘導するための誘導表示をタッチパネルモニタ８２に行わせる。さらに、制御部２０１は、サンプルポーズをタッチパネルモニタ８２に表示させる。また同時に、制御部２０１は、カメラ８１で取得している動画像をタッチパネルモニタ８２にライブビュー表示させる。
【００８５】
また、制御部２０１は、シャッターボタン８５を促す表示、場合に応じて残り時間または残り枚数の表示、自動撮影ボタンおよび終了ボタンの表示などをタッチパネルモニタ８２に行わせる。
【００８６】
制御部２０１は、合成用背景画像や肌の色の修正のためなどの合成用画像と撮影中の動画像を合成したライブビュー表示画像をタッチパネルモニタ８２にライブビュー表示させる（Ｓ４）。これにより、利用者は、仕上がりイメージを確認しながらポーズを取ることができる。
【００８７】
制御部２０１は、タッチパネルモニタ８２の表示とスピーカ８３による音声でカウントダウンを行い、このカウントダウンの終了タイミングで、上ストロボユニット９０Ａ、下ストロボユニット９０Ｂ、天井ストロボユニット９０Ｃ、右側面ストロボユニット９０Ｄ、左側面ストロボユニット９０Ｅに照明制御信号を送信すると共にカメラ８１にシャッタ信号を送信する。
【００８８】
これにより、上ストロボユニット９０Ａ、下ストロボユニット９０Ｂ、天井ストロボユニット９０Ｃ、右側面ストロボユニット９０Ｄ、左側面ストロボユニット９０Ｅは、ストロボ光（閃光）を出射する。ストロボ光によって照明された利用者が背景とともに写っている撮影画像を、カメラ８１により取得する。本実施の形態では、一例として、ステップＳ３からステップＳ４までの処理を複数回繰り返して複数枚の撮影画像を取得する。また、制御部２０１は、撮影画像に合成用画像を合成させた編集対象画像を記憶部２０２に記憶させる。
【００８９】
撮影終了後、制御部２０１は、編集ユニット１２において編集の対象とする編集対象画像を利用者に選択させる処理を行う。具体的には、複数枚のサムネイルをタッチパネルモニタ８２に表示させ、利用者によってタッチされた画像を編集対象画像とする。
【００９０】
以上の処理の終了後、制御部２０１は、利用者に対して、編集空間Ａ２−１、または編集空間Ａ２−２のいずれか一方への移動を促す案内画面をタッチパネルモニタ８２に表示するとともに、音声による移動案内をスピーカ８３に出力する。
【００９１】
そして、制御部２０１は、利用者による編集対象画像の編集を許容する編集処理を実行する（Ｓ５）。詳述すると、制御部２０１は、編集対象画像を、タブレット内蔵モニタ１３１に表示し、この編集対象画像に対して利用者がタッチペン１３２Ａ又は１３２Ｂでスタンプ画像やペン画像などを描くことを許容し、編集画像を作成する。
【００９２】
その後、制御部２０１は、利用者に対してシール紙排出口１６１が設けられた印刷待ち空間Ａ３への移動を促す案内画面をタブレット内蔵モニタ１３１に表示するとともに、音声による移動案内をスピーカ１３３に出力する。
【００９３】
さらに、制御部２０１は、事前選択操作部２０において選択された印刷レイアウトに編集画像を配置して印刷用画像を作成し、この印刷用画像をシール紙１４２に印刷する印刷処理を実行する（Ｓ６）。
【００９４】
印刷処理が終了すると、制御部２０１は、シール紙１４２の排出処理を実行し（Ｓ７）、印刷完了したシール紙１４２をシール紙排出口１６１から排出し、利用者に写真シールとして提供してゲームを終了する。このようにして、写真シール作成装置１により作成した利用者の撮影画像を、写真シールとして出力することができる。なお、詳細な説明は省略するが、本実施の形態の写真シール作成装置１は、通信により、撮影画像を携帯端末などに出力することも可能である。
【００９５】
以上のような動作を実現する構成の写真シール作成装置１は、利用者の顔を明るく写す写真シールを利用者に提供することができる。
【００９６】
写真シール作成装置１は課金と引き換えに、利用者の気持ちが盛り上がるような仕掛け（撮影ポーズの選択、ＢＧＭ、ナレーションなど）が種々施された写真シール作成ゲームを提供する。そのため、写真シール作成装置１での作成画像は、利用者の楽しい表情が引き出された画像や、趣向を凝らした、華やかな画像となる。
【００９７】
また、写真シール作成装置１ではライティングなどの設備が充実しており、そして画像の変形処理（例えば被写体の目の大きさや脚の長さなど）および色の補正（被写体の肌の美白処理など）などを高度な技術で行えるため、写真シール作成装置１で作成した画像は、利用者の写りが良い画像となる。
【００９８】
また、写真シール作成装置１以外での画像処理（例えば写真加工のためのアプリケーションなどでの処理）に比べて容易に編集（画像への落書き）ができ、当該編集のバリエーションも豊かである。この点からも、写真シール作成装置１での作成画像は写真シール作成装置１以外で撮影および画像処理された画像に比べ、比較的華やかに仕上がるといえる。
【００９９】
５．  上ストロボユニット及び下ストロボユニットの構成
本実施の形態では、利用者を撮影するときに生じる陰影を軽減しつつ、所望の眼の画像を含む撮影画像を生成することができる写真シール作成装置１を提供する。具体的には、適度にキャッチライトが映り込んだ大きな黒目（くりっとしたうるおい感のある目）の画像を生成する。以下、そのような画像を生成するために必要な構成について説明する。
【０１００】
図１４は、写真シール作成装置１の撮影空間内において、写真シール作成装置１のカメラ８１の光軸を通る鉛直方向の仮想平面Ｐ１から右側面側を見た図（図５のＤ−Ｄ断面図）である。図１５は、撮影操作部２１（利用者立ち位置領域Ａ１−２３から見た写真シール作成装置１の撮影空間内の正面側である撮影空間前方部Ａ１−１）の構成を説明した斜視図である。図１５において、下ストロボユニット９０Ｂの一部は分解斜視図として示されている。図１５に示すように、カメラ８１の光軸８８は、カメラ８１から撮影空間後方部Ａ１−３側に向かって水平方向に延びる。カメラ８１の光軸８８を通る鉛直方向の仮想平面Ｐ１とは、撮影空間の幅方向（側面パネル４１Ａから側面パネル４１Ｂに向かう方向）の中心を通り、床部２３Ａから天井１５まで延在するような、実在しない仮想的な面のことを表している。
【０１０１】
上ストロボユニット９０Ａはカメラユニット８０の上方に設けられ、下ストロボユニット９０Ｂはカメラユニット８０の下方に設けられる。すなわち、上ストロボユニット９０Ａ及び下ストロボユニット９０Ｂは、鉛直方向においてカメラユニット８０と異なる位置（重ならない位置）に配置されている。また、下ストロボユニット９０Ｂは、その一部がカメラユニット８０よりも撮影空間中央部Ａ１−２側に突出して設置されている。
【０１０２】
上ストロボユニット９０Ａは、椀形状の収容部１０２と略円形状の曲面の拡散カバー１０３とによって形成される筐体１０１を有する。拡散カバー１０３は、アクリル樹脂などによって構成され、光を拡散して透過する発光面を形成する。本実施の形態において、筐体１０１の利用者立ち位置領域Ａ１−２３側に発光面が形成される。
【０１０３】
下ストロボユニット９０Ｂは、収容部１０４と拡散カバー１０５とによって形成される筐体１０６を有する。収容部１０４は、筐体１０６の下面１０４Ａと、撮影空間の前側（奧側）の側面１０４Ｃ及び左右側の側面１０４Ｂ，１０４Ｄとを含む。下面１０４Ａ及び側面１０４Ｃは、例えば金属製のパネルで構成され、矩形形状を有している。左右側の側面１０４Ｂ，１０４Ｄは、例えば金属製のパネルで構成され、平面視において、略台形形状を有している。拡散カバー１０５は、筐体１０６の上面１０５Ａ、利用者立ち位置領域Ａ１−２３側の側面１０５Ｂ、及び上面１０５Ａと側面１０５Ｂとの間の接続面１０５Ｃを形成する。上面１０５Ａは、利用者立ち位置領域Ａ１−２３側に向かって下方に傾斜している。側面１０５Ｂは、床部２３Ａに対して垂直で、且つ撮影空間の幅方向（側面パネル４１Ａから側面パネル４１Ｂに向かう方向）とほぼ平行である。拡散カバー１０５は、アクリル樹脂などによって構成され、光を拡散して透過する発光面を形成する。
【０１０４】
図１６は、撮影操作部２１の正面図（利用者立ち位置領域Ａ１−２３から見た写真シール作成装置１の撮影空間の正面側である撮影空間前方部Ａ１−１）（図２のＡ−Ａ断面図）である。上ストロボユニット９０Ａ及び下ストロボユニット９０Ｂの内部構成を説明するために、図１６において、上ストロボユニット９０Ａの拡散カバー１０３と下ストロボユニット９０Ｂの拡散カバー１０５は省略されている。上ストロボユニット９０Ａ、カメラユニット８０、及び下ストロボユニット９０Ｂは、それぞれ、撮影空間の幅方向（側面パネル４１Ａから側面パネル４１Ｂに向かう方向）の中央位置に配置される。
【０１０５】
上ストロボユニット９０Ａは、筐体１０１の収容部１０２内に、１つのストロボ９１Ａ（瞬間光源の一例）と２つのＬＥＤランプ９２Ａ，９２Ｂ（定常光源の一例）とを備える。ストロボ９１Ａは、直管であって、ストロボ９１Ａの長手方向が、カメラ８１の光軸を通る鉛直方向の仮想平面Ｐ１上となるように配置される。ストロボ９１Ａに対して、拡散カバー１０３と反対側に反射板９３Ａが配置される。反射板９３Ａは、１枚の板を二箇所で折り曲げ加工することによって、凹部（側面から見てハの字状）を形成し（図１４の反射板９３Ｃを参照）、その凹部内にストロボ９１Ａが配置される。これにより、ストロボ９１Ａによって出射されたストロボ光と、ストロボ９１Ａの背面側の反射板９３Ａによって反射されたストロボ光とによって、利用者立ち位置領域Ａ１−２３にいる利用者が照明される。ストロボ９１Ａの両側にＬＥＤランプ９２Ａ，９２Ｂが配置される。ＬＥＤランプ９２Ａ，９２Ｂは、カメラ８１の光軸を通る鉛直方向の仮想平面Ｐ１から等距離で配置される。上ストロボユニット９０Ａは、撮影時にメインライトとして使用される。すなわち、写真シール作成装置１の複数のストロボユニット９０の中で、上ストロボユニット９０Ａから利用者に照射されるストロボ光の光量が最も多い。なお、上ストロボユニット９０Ａと天井ストロボユニット９０Ｃの光量が同程度であって、且つその他のストロボユニットの光量よりも多くてもよい。
【０１０６】
図１７は、下ストロボユニット９０Ｂの内部構成を示す斜視図である。図１７では、下ストロボユニット９０Ｂの拡散カバー１０５が省略されている。下ストロボユニット９０Ｂは、筐体１０６の下面１０４Ａと上面１０５Ａとの間に、筐体１０６によって形成される内部空間を上下の空間に区画するための仕切り板９５を備える。仕切り板９５は、光を透過しない部材であって、例えば、板金である。
【０１０７】
下ストロボユニット９０Ｂは、仕切り板９５よりも上側の空間に、１つのストロボ９１Ｂ（瞬間光源の一例）と２つのＬＥＤランプ９２Ｃ，９２Ｄ（定常光源の一例）とを備える。ＬＥＤランプ９２Ｃ，９２Ｄは、カメラ８１の光軸を通る鉛直方向の仮想平面Ｐ１から等距離で配置される。ストロボ９１Ｂは、下ストロボユニット９０Ｂの幅方向の中央（すなわち、２つのＬＥＤランプ９２Ｃ，９２Ｄ間の中央）に配置される。ストロボ９１Ｂは、直管であって、ストロボ９１Ｂの長手方向が撮影空間の幅方向（側面パネル４１Ａから側面パネル４１Ｂに向かう方向）となるように配置される。ストロボ９１Ｂに対して、筐体１０６（拡散カバー１０５）の上面１０５Ａと反対側に反射板９３Ｂが配置される。反射板９３Ｂは、１枚の板を二箇所で折り曲げ加工することによって、凹部（側面から見てハの字状）を形成し、その凹部内にストロボ９１Ｂが配置される。下ストロボユニット９０Ｂ内の上側の空間のストロボ９１Ｂが発光することによって、撮影画像において、顔及び首に発生する影を軽減することができる。
【０１０８】
下ストロボユニット９０Ｂの上側の空間内に配置されているストロボ９１Ｂの上方に、ストロボ９１Ｂからのストロボ光を反射する矩形の反射板９４が設けられる。ストロボ９１Ｂ及び反射板９４は、図１４に示すように、鉛直方向から所定角度、利用者立ち位置領域Ａ１−２３側に傾斜して取り付けられる。これにより、反射板９４は筐体１０６の拡散カバー１０５の上面１０５Ａと略平行になる。ストロボ９１Ｂの上方に配置された反射板９４によって、ストロボ９１Ｂから出射されるストロボ光は下方に反射される。そのため、ストロボ光は反射板９４の周辺から利用者に向かって照射されることになる。これにより、ストロボ９１Ｂから利用者に照射されるストロボ光は減衰し、柔らかい光が利用者に照射される。よって、撮影画像における白とびや陰影を軽減できる。
【０１０９】
下ストロボユニット９０Ｂは、仕切り板９５よりも下側の空間に、２つのストロボ９１Ｃ，９１Ｄ（瞬間光源の一例）と２つのＬＥＤランプ９２Ｅ，９２Ｆ（定常光源の一例）を備える。２つのＬＥＤランプ９２Ｅ，９２Ｆは、カメラ８１の光軸を通る鉛直方向の仮想平面Ｐ１から等距離で配置される。２つのストロボ９１Ｃ，９１Ｄもまた、カメラ８１の光軸を通る鉛直方向の仮想平面Ｐ１から等距離で配置される。ストロボ９１Ｃ，９１Ｄは、直管であって、ストロボ９１Ｃ，９１Ｄの長手方向が撮影空間の幅方向と一致するように配置される。カメラ８１の光軸８８の利用者立ち位置領域Ａ１−２３側の方向を正面側の位置として、ストロボ９１Ｃ，９１Ｄの背面側に反射板９３Ｃ，９３Ｄが配置される。反射板９３Ｃ，９３Ｄは、１枚の板を二箇所で折り曲げ加工することによって凹部（側面から見てハの字状）を形成し、その凹部内にストロボ９１Ｃ，９１Ｄが配置される。これにより、ストロボ９１Ｃ，９１Ｄによって出射されたストロボ光と、ストロボ９１Ｃ，９１Ｄの背面側の反射板９３Ｃ，９３Ｄによって反射されたストロボ光とによって、利用者立ち位置領域Ａ１−２３にいる利用者が照明される。
【０１１０】
下ストロボユニット９０Ｂの下側の空間には、さらに、遮蔽板９８が配置される。遮蔽板９８は、光を遮る遮蔽部材の一例であって、本実施の形態においては板金である。なお、遮蔽板９８は、完全に光を遮蔽する材料でなくてもよく、光を減衰する材料であればよい。遮蔽板９８は、下ストロボユニット９０Ｂの幅方向の中央に配置される。本実施の形態の遮蔽板９８は矩形であり、利用者立ち位置領域Ａ１−２３側から見て縦長形状である。遮蔽板９８は、筐体１０６の下面１０４Ａから仕切り板９５まで延在し、筐体１０６の下面１０４Ａと仕切り板９５とに、ボルト又はビスなどのねじによって固定される。下ストロボユニット９０Ｂの筐体１０６の下面１０４Ａから仕切り板９５の方向に延在する遮蔽板９８の位置は、下ストロボユニット９０Ｂの下側の空間のストロボ９１Ｃ，９１Ｄによってキャッチライトが黒目に映り込むときの黒目（特に、虹彩）の外周部に対応し、撮影画像において、大きな黒目（くりっとした目）を実現するための好ましい位置である（図１９（ｂ）を参照。詳細は後述する）。利用者立ち位置領域Ａ１−２３側から見て遮蔽板９８の両側に、ストロボ９１Ｃ，９１ＤとＬＥＤランプ９２Ｅ，９２Ｆが配置される。
【０１１１】
遮蔽板９８は、拡散カバー１０５よりもストロボ９１Ｃ，９１Ｄ側（すなわち、下ストロボユニット９０Ｂの内側）に配置される。図１５に示すように、遮蔽板９８と拡散カバー１０５との間に緩衝材としてのゴム９９が設けられる。ゴム９９は、例えば、遮蔽板９８に貼り付けられる。図１８は、遮蔽板９８とゴム９９の一例を示している。遮蔽板９８は、１枚の板が折り曲げ加工されることによって、コの字状に形成される。本実施の形態においては、図１８に示すように、ゴム９９のサイズは、遮蔽板９８の遮蔽面９８Ａ（垂直面）と同一のサイズである。ゴム９９を遮蔽板９８と拡散カバー１０５との間に挟むことによって、拡散カバー１０５の取り付け及び取り外し時などに遮蔽板９８によって拡散カバー１０５が傷つくことを防止することができる。
【０１１２】
ここで、ストロボ９１Ａ，９１Ｂ，９１Ｃ，９１Ｄを、特に区別しない場合には、単にストロボ９１という。同様に、ＬＥＤランプ９２Ａ，９２Ｂ，９２Ｃ，９２Ｄ，９２Ｅ，９２Ｆを、特に区別しない場合には、単にＬＥＤランプ９２という。ストロボ９１は、カメラ８１が静止画像を取得する瞬間に、発光する。これにより、ストロボ９１によって瞬間的に強い光であるストロボ光が利用者に照射される。ＬＥＤランプ９２は、撮影空間内の照明として使用される。すなわち、ＬＥＤランプ９２は、カメラ８１によって静止画像を取得する瞬間に加え、動画像（ライブビュー表示画像）を撮影している間も発光している。
【０１１３】
上ストロボユニット９０Ａが、正面上方から利用者にストロボ光を照射すると、利用者がカメラ８１に近い位置（撮影空間前方部Ａ１−１寄り）に立ったときに、首及び顔の輪郭の影が発生する。しかし、下ストロボユニット９０Ｂが、正面下方から利用者にストロボ光を照射する。具体的には、仕切り板９５よりも上側の空間のストロボ９１Ｂが、正面下方から利用者の顔方向（斜め上方向）にストロボ光を出射し、下側の空間のストロボ９１Ｃ，９１Ｄが、正面下方から利用者の足方向（直進方向）にストロボ光を出射する。これによって、利用者がカメラ８１に近い位置に立った時に、首の影及び顔の輪郭の影が写ることを防止することが可能になる。また、上ストロボユニット９０Ａは、正面上方から利用者にストロボ光を照射するため、上ストロボユニット９０Ａのみでは、利用者がカメラ８１から遠い位置（背景部２２寄り）に立ったときに、顔及び首に、光の当たらない陰の部分が発生する。しかし、下側の空間のストロボ９１Ｃ，９１Ｄが直進方向（撮影空間前方部Ａ１−１から撮影空間後方部Ａ１−３に向かう方向）にストロボ光を出射するため、利用者がカメラ８１から遠い位置に立った場合に、顔及び首の陰が生じることを防止することが可能になる。
【０１１４】
６．キャッチライト
上下のストロボユニット９０Ａ，９０Ｂから出射されるストロボ光によって、眼内にキャッチライトが映り込む。
【０１１５】
図１９（ａ）は、下ストロボユニット９０Ｂの下側の空間に遮蔽板９８がない場合における、ユーザの眼の中に形成されるキャッチライトを模式的に示した図である。上ストロボユニット９０Ａのストロボ９１Ａの発光によって、瞳４０２の上方にキャッチライトＣＬ１が映り込む。キャッチライトＣＬ１の形状は、上ストロボユニット９０Ａの発光面（拡散カバー１０３）の形状に応じて、略円形になる。下ストロボユニット９０Ｂの上側の空間のストロボ９１Ｂの発光によって、瞳４０２の下方にキャッチライトＣＬ２が映り込み、さらにその下に、下ストロボユニット９０Ｂの下側の空間のストロボ９１Ｃ，９１Ｄの発光によって、キャッチライトＣＬ３が映り込む。下ストロボユニット９０Ｂの下側の空間のストロボ９１Ｃ，９１Ｄの発光によるキャッチライトＣＬ３は、黒目、主に虹彩４０１の外周部に映り込む。下ストロボユニット９０Ｂの仕切り板９５の上側及び下側のストロボ９１Ｂ，９１Ｃ，９１Ｄの発光によって虹彩４０１に映り込むキャッチライトＣＬ２及びＣＬ３の外形は、下ストロボユニット９０Ｂの発光面（拡散カバー１０５）の形状に応じて、略台形になる。
【０１１６】
メインライトとして使用される上ストロボユニット９０Ａのストロボ光は強いため、上ストロボユニット９０Ａのストロボ９１Ａの発光によって映り込むキャッチライトＣＬ１は濃い白色になる。しかし、このキャッチライトＣＬ１は略円形であるため、撮影画像において、黒目（瞳及び虹彩）の一部として認識することができる。すなわち、虹彩４０１の中にキャッチライトＣＬ１が映り込んでいると認識できる。下ストロボユニット９０Ｂの上側の空間からのストロボ光は、ストロボ９１Ｂの上方に配置された反射板９４によって下方側に反射され、利用者に照射される光量が低減されるため、下ストロボユニット９０Ｂの上側の空間のストロボ９１Ｂによって眼に映り込むキャッチライトＣＬ２は、薄い白色となる。よって、キャッチライトＣＬ２も、撮影画像において、黒目（瞳及び虹彩）の一部として認識することができる。すなわち、虹彩４０１の中にキャッチライトＣＬ２が映り込んでいると認識できる。
【０１１７】
一方、下ストロボユニット９０Ｂの下側のストロボ光によるキャッチライトＣＬ３は、虹彩４０１の外周部に帯状に映り込むため、キャッチライトＣＬ３の白色が黒目（瞳及び虹彩）の一部として認識されない場合がある。すなわち、虹彩４０１の中にキャッチライトＣＬ３が映り込んでいると認識されない場合がある。特に、下ストロボユニット９０Ｂの下側の空間のストロボ９１Ｃ，９１Ｄの光量が多いと、ストロボ光によって映り込むキャッチライトＣＬ３が濃い白色（透明度の低い白色）になる。この場合、黒目周辺の白目の部分と同化して、黒目が小さく見えてしまう。
【０１１８】
よって、本実施の形態では、遮蔽板９８を設けることによって、下ストロボユニット９０Ｂの下側の空間のストロボ９１Ｃ，９１ＤによるキャッチライトＣＬ３が、図１９（ａ）に示すように虹彩４０１の外周部に帯状に映り込むことを防止する。
【０１１９】
図１９（ｂ）は、本実施の形態における、下ストロボユニット９０Ｂの下側の空間に遮蔽板９８がある場合の、ユーザの眼の中に形成されるキャッチライトを模式的に示した図である。遮蔽板９８が下ストロボユニット９０Ｂの下側の空間に配置されている場合、遮蔽板９８がその下側の空間からのストロボ光の一部を遮蔽するため、虹彩４０１の中に映り込むキャッチライトＣＬ３の一部ＬＢが欠けた状態となる。すなわち、遮蔽板９８があるときは、遮蔽板９８がないときよりも、黒目全体の面積が大きい画像が生成される。特に、遮蔽板９８がないときと比較して、虹彩４０１の外周部が多く含まれた画像が生成される。
【０１２０】
図２０は、本実施の形態の、遮蔽板９８を備えた写真シール作成装置１で画像を撮影したときに生成されるキャッチライトを含む撮影画像の一部の画像例を示した図である。遮蔽板９８を設けることによって、図２０に示すように、下ストロボユニット９０Ｂの下側の空間のストロボ９１Ｃ，９１Ｄの発光によって映り込むキャッチライトの一部ＬＢが欠けている。
【０１２１】
以上のように、遮蔽板９８を設けることによって、黒目（瞳及び虹彩）の中において透明度の低い白色の領域が多くなることを防ぐことができる。下ストロボユニット９０Ｂの下側の空間の筐体１０６の下面１０４Ａから仕切り板９５の方向に延在する遮蔽板９８の位置は、キャッチライトが黒目に映り込むときの虹彩の外周部に対応する。このような位置に遮蔽板９８を設けることによって、濃い白い帯状のキャッチライトが虹彩の外周部に映り込むことを防止することができる。これにより、キャッチライトの濃い白色が白目の部分と同化して、黒目が小さく見えてしまうことを防止することができる。よって、撮影画像において、大きな黒目（くりっとした目）を実現できる。また、上ストロボユニット９０Ａ及び下ストロボユニット９０Ｂの上側の空間からのストロボ光によって映り込むキャッチライトＣＬ１及びＣＬ２によって、適度な量及び形状のキャッチライトが眼に映り込む。よって、撮影画像において、適度なキャッチライトが映り込んだ黒目（うるおい感のある目）を実現できる。また、カメラユニット８０の配色を黒色にすることで、瞳（黒目の中心部）を暗くできる。
【０１２２】
７．効果等
本実施の形態の写真シール作成装置１（画像撮影装置の一例）は、撮影を行うための撮影空間内の利用者立ち位置領域Ａ１−２３（所定領域の具体例）にいる利用者を撮影する装置である。写真シール作成装置１は、利用者立ち位置領域Ａ１−２３から見て撮影空間の正面側に設けられ、利用者を撮影するカメラ８１（撮影部の一例）と、正面側で且つカメラ８１と異なる位置に設けられ、撮影時（具体的には、カメラ８１が静止画像を撮る瞬間）にストロボ光（照明光の一例）により利用者を照明する下ストロボユニット９０Ｂ（照明部の一例）と、を備える。下ストロボユニット９０Ｂは、筐体１０６と、筐体１０６内に配置され、撮影時にストロボ光を出射する少なくとも１つのストロボ（光源の一例）９１Ｃ，９１Ｄと、ストロボ光の一部が利用者に照射されることを防ぐための遮蔽板９８（遮蔽部材の一例）と、を有する。
【０１２３】
上記構成により、遮蔽板９８によって、キャッチライトの一部が眼に映り込むことを防止できる。例えば、図１９（ｂ）に示すように、白い帯状のキャッチライトの一部を消去することができる。これにより、黒目が小さく見えてしまうことを防止することができる。また、強い光を出射するストロボ９１Ｃ，９１Ｄを使用することによって、利用者を撮影するときに生じる陰影を軽減することができる。よって、上記構成により、利用者を撮影するときに生じる陰影を軽減しつつ、所望の眼（大きな黒目）の画像を含む撮影画像を生成することができる。すなわち、完成度の高い撮影画像が得られる。
【０１２４】
利用者立ち位置領域Ａ１−２３から見て、ストロボ９１Ｃ，９１Ｄは遮蔽板９８と異なる位置に配置されている。この構成により、利用者に照射されるストロボ光の光量が低減されることなく、ストロボ光を利用者に照射させることができる。よって、例えば、利用者がカメラ８１に近い位置に立ったときの首及び顔の輪郭の影、又は利用者がカメラ８１から遠い位置に立ったときの顔及び首の陰を軽減することができる。
【０１２５】
筐体とストロボとを有し、撮影時に照明光により利用者を照明する複数のストロボユニット９０Ａ，９０Ｂが、正面側で且つカメラ８１と異なる位置に配置されていて、複数のストロボユニット９０Ａ，９０Ｂのうちの少なくとも１つが遮蔽板９８を有する。具体的には、複数のストロボユニット９０Ａ，９０Ｂは、カメラ８１の上方に配置された上ストロボユニット９０Ａ（第１の照明部）及びカメラ８１の下方に配置された下ストロボユニット９０Ｂ（第２の照明部）を含み、遮蔽板９８は下ストロボユニット９０Ｂに設けられる。下ストロボユニット９０Ｂからのストロボ光によるキャッチライトは、瞳の下方に映り込む。しかし、遮蔽板９８の位置に対応して、キャッチライトの一部が映り込むことを防止することができる。よって、撮影画像において、黒目全体の面積を大きくできる。一方、上ストロボユニット９０Ａのストロボ光によって、キャッチライトが瞳に映り込む。よって、撮影画像において、適度にキャッチライトが映り込んだ大きな黒目（くりっとしたうるおい感のある目）を実現できる。
【０１２６】
より具体的には、下ストロボユニット９０Ｂは、さらに、筐体１０６の下面１０４Ａと上面１０５Ａとの間に、筐体１０６によって形成される内部空間を上下の空間に区画するための仕切り板９５（仕切り部材の一例）を有し、遮蔽板９８は、下ストロボユニット９０Ｂの下側の空間に配置される。上記実施の形態１において、遮蔽板９８は、筐体１０６の下面１０４Ａから仕切り板９５まで延在する。上記構成により、虹彩の外周部に白い帯状のキャッチライトが映り込むことを防止することができる。よって、黒目（瞳及び虹彩）が小さく見えてしまうことを防止できる。
【０１２７】
下ストロボユニット９０Ｂの下側の空間内において、利用者立ち位置領域Ａ１−２３から見て、ストロボ９１Ｃ，９１Ｄが遮蔽板９８の両側に配置される。このように複数のストロボ９１Ｃ，９１Ｄを利用者立ち位置領域Ａ１−２３から見て遮蔽板９８と異なる位置に設けることによって、遮蔽板９８を設けた場合であっても、利用者に照射されるストロボ光の光量が低減されることなく、強いストロボ光を利用者に照射することができる。よって、例えば、利用者がカメラ８１に近い位置に立ったときの首及び顔の輪郭の影、又は利用者がカメラ８１から遠い位置に立ったときの顔及び首の陰を軽減することができる。
【０１２８】
筐体１０６は、利用者立ち位置領域Ａ１−２３側に、ストロボ光を拡散する拡散カバー１０５（拡散部材）を有し、遮蔽板９８は、拡散カバー１０５よりもストロボ９１Ｃ，９１Ｄ側に配置される。これにより、拡散カバー１０５によって遮蔽板９８を保護することができる。
【０１２９】
遮蔽板９８は矩形である。よって、筐体１０６に対して容易に取り付けることができる。
【０１３０】
下ストロボユニット９０Ｂの上側の空間内にストロボ９１Ｂが配置されていて、下ストロボユニット９０Ｂは、さらに、上側の空間内に配置されているストロボ９１Ｂの上方にストロボ９１Ｂからのストロボ光を反射する反射板９４（反射部材の一例）を有する。これにより、上側の空間からのストロボ光は反射板９４によって下方側に反射され、反射板９４の外周から利用者にストロボ光が照射される。よって、利用者に照射される光量が低減され、下ストロボユニット９０Ｂの上側の空間のストロボ９１Ｂによって眼に映り込むキャッチライトは、薄い白色となる。これにより、キャッチライトが映り込んでも黒目として認識できる。よって、下ストロボユニット９０Ｂの上側の空間に反射板９４が設けられている場合、遮蔽板９８を下側の空間に配置するだけで、黒目が小さく見えてしまうことを防止できる。また、下ストロボユニット９０Ｂの上側の空間のストロボ９１Ｂによって、適度にキャッチライトが黒目に映り込むため、撮影画像において、適度にキャッチライトが映り込んだ大きな黒目（くりっとしたうるおい感のある目）を実現できる。
【０１３１】
上ストロボユニット９０Ａから利用者に照射されるストロボ光の光量は、下ストロボユニット９０Ｂから利用者に照射されるストロボ光の光量よりも多い。すなわち、上ストロボユニット９０Ａが、撮影画像（静止画像）を撮影するときのメインライトとして機能する。上ストロボユニット９０Ａには、遮蔽板９８が設けられていないため、撮影時の光量が不十分になることを防止できる。
【０１３２】
遮蔽板９８は、撮影空間の幅方向の中央に配置されている。この場合、利用者２人が左右横並びで立った状態で写真シール作成装置１を利用する場合に、本発明の効果（利用者を撮影するときに生じる陰影を軽減しつつ、所望の眼の画像を含む撮影画像を生成する）がより有効になる。
【０１３３】
＜実施の形態２＞
本実施の形態では、下ストロボユニット９０Ｂの下側の空間に配置される遮蔽板９８の位置及び形状に関する変形例を説明する。遮蔽板９８以外の写真シール作成装置１の構成は、実施の形態１のものと同様である。
【０１３４】
図２１は、遮蔽板９８の変形例を示した図であって、利用者立ち位置領域Ａ１−２３から見た下ストロボユニット９０Ｂの模式的な正面図である。上記実施の形態１では、遮蔽板９８は下ストロボユニット９０Ｂの仕切り板９５よりも下側の空間のみに配置されたが、図２１（ａ）に示すように、遮蔽板９８を下ストロボユニット９０Ｂの下側の空間と上側の空間の両方に対して配置してもよい。これにより、実施の形態１よりも、より黒い面積が多い状態でキャッチライトを確保できる。
【０１３５】
上記実施の形態１においては、下ストロボユニット９０Ｂの下側の空間において、１つの遮蔽板９８が空間の幅方向の中央に配置され、２つのストロボが一つの遮蔽板９８の両側に配置されていた。しかし、図２１（ｂ）に示すように、下ストロボユニット９０Ｂの仕切り板９５よりも下側の空間の幅方向の中央に一つのストロボ９１を配置して、２つの遮蔽板９８を一つのストロボ９１の両側に配置してもよい。この配置は、３人の利用者が左右横並びで撮影するときに有利である。
【０１３６】
上記実施の形態１においては、遮蔽板９８は矩形であったが、図２１（ｃ）に示すように矩形以外の形状（例えば、楕円）であってもよい。
【０１３７】
図２１（ａ）〜（ｃ）のいずれの場合であっても、ストロボ９１は、利用者立ち位置領域Ａ１−２３から見て、遮蔽板９８と異なる位置に配置されていればよい。図２１（ａ）〜（ｃ）に示すいずれの場合であっても、遮蔽板９８によって、黒目が小さく見えることを防止できる。
【０１３８】
＜実施の形態３＞
本実施の形態では、下ストロボユニット９０Ｂの下側の空間とは異なる位置に、遮蔽板９８を配置する例について説明する。遮蔽板９８以外の写真シール作成装置１の構成は、実施の形態１のものと同様である。
【０１３９】
上記実施の形態１では、下ストロボユニット９０Ｂの下側の空間に対して遮蔽板９８を配置したが、遮蔽板９８の配置は、下ストロボユニット９０Ｂの下側の空間に限定されない。例えば、遮蔽板９８を下ストロボユニット９０Ｂの仕切り板９５よりも上側の空間のみに配置し、下ストロボユニット９０Ｂの下側の空間には配置しなくてもよい。キャッチライトの所望の形状に応じて、遮蔽板９８の位置を決定してもよい。
【０１４０】
上記実施の形態１では、上ストロボユニット９０Ａをメインライトとして使用する（すなわち、他のストロボユニットよりも光量が多い）場合について説明したが、下ストロボユニット９０Ｂ（例えば、ストロボ９１Ｂ，９１Ｃ，９１Ｄ）をメインライトとして使用する場合は、遮蔽板９８を上ストロボユニット９０Ａに設けてもよい。この場合、遮蔽板９８は、実施の形態１と同様に、上ストロボユニット９０Ａの拡散カバー１０３に対して一定の割合で設ければよい。
【０１４１】
また、上記実施の形態１では、上ストロボユニット９０Ａをメインライトとして使用した場合に、下ストロボユニット９０Ｂ（下側の空間）のみに遮蔽板９８を配置したが、上ストロボユニット９０Ａ又は下ストロボユニット９０Ｂのいずれかをメインライトとして使用した場合に、静止画像の撮影時の光量が十分であれば、上ストロボユニット９０Ａと下ストロボユニット９０Ｂの両方に遮蔽板９８を設けてもよい。このとき、下ストロボユニット９０Ｂにおいては、上側の空間のみ、下側の空間のみ、又は上下の空間の両方に遮蔽板９８を配置してもよい。
【０１４２】
上記実施の形態１においては、カメラユニット８０の上方に上ストロボユニット９０Ａが配置され、カメラユニット８０の下方に下ストロボユニット９０Ｂが配置されている場合について説明したが、上ストロボユニット９０Ａ及び下ストロボユニット９０Ｂに加えて又は代えて、カメラユニット８０の左右両側（撮影空間前方部Ａ１−１の幅方向側）にそれぞれストロボユニットが配置されてもよい。この場合、遮蔽板９８は、その左右のストロボユニットの両方又はいずれか一方に設けられてもよい。
【０１４３】
上記いずれの場合であっても、遮蔽板９８を備えるストロボユニットにおいて、ストロボ９１は、利用者立ち位置領域Ａ１−２３から見て、遮蔽板９８と異なる位置に配置されていることが好ましい。これにより、静止画像の撮影時に、利用者を十分な光量で照明することができる。
【０１４４】
＜その他の実施の形態＞
上記の実施の形態で説明した種々の思想は、適宜組み合わせることができ、また、当業者の技術常識に基づき、適宜、変更、置き換え、付加、省略などもできる。以下に、上記の実施の形態で開示した思想に適用できる他の構成を説明する。
【０１４５】
上記実施の形態１において、ゴム９９の大きさは遮蔽板９８の遮蔽面９８Ａ（垂直面）と同一であったが、ゴムの大きさは遮蔽板９８の遮蔽面９８Ａの一部のみに対応する大きさであってもよい。また、ゴム９９の代わりに、遮蔽板９８と拡散カバー１０５との間に隙間を設けてもよい。隙間によっても拡散カバー１０５の損傷（例えば、割れ）を防ぐことができる。
【０１４６】
上記実施の形態１において、遮蔽板９８は、筐体１０６の下面１０４Ａと仕切り板９５とに固定されていた。しかし、遮蔽板９８は、拡散カバー１０５に固定されてもよい。この場合、遮蔽板９８は、拡散カバー１０５の内面（ストロボ側）に取り付けられてもよいし、拡散カバー１０５の外面（利用者立ち位置領域Ａ１−２３側）に取り付けられてもよい。
【０１４７】
上記実施の形態１〜３で示した遮蔽板９８、ストロボ９１、及びＬＥＤランプ９２の数及び位置は単なる例であって、上記実施の形態１〜３と異なる数及び異なる位置に、遮蔽板９８、ストロボ９１、及びＬＥＤランプ９２を設けてもよい。
【０１４８】
上記実施の形態１〜３においては、ストロボ光を遮る遮蔽部材として、遮蔽板９８（板金）を使用したが、遮蔽部材は、遮蔽板９８に限らず、ストロボ光を遮るものであればよい。例えば、遮蔽板９８の代わりに、カメラ又はモニタを上記実施の形態の遮蔽板９８と同じ位置に配置して、そのカメラ又はモニタを遮蔽部材として使用してもよい。
【０１４９】
上記実施の形態１〜３においては、遮蔽板９８を使用することによって、キャッチライトの一部を消去したが、遮蔽板９８を使用せずにキャッチライトの一部を消去してもよい。例えば、画像処理によって、キャッチライトの一部を消去してもよい。この場合、制御部２０１は、顔認識処理によって、撮影画像から利用者の顔の器官を認識し、眼の輪郭領域を抽出する。制御部２０１は、抽出した輪郭領域内から色情報を取得して、濃い白色の帯状の箇所を特定する。そして、制御部は、特定した白い帯状の箇所に所定の色を合成する。別の方法においては、制御部２０１は、取得した色情報から、黒目の領域を特定して、眼の中心点を算出してもよい。そして、制御部２０１は、眼の中心点から所定の距離離れた領域に対して所定の色を合成してもよい。これにより、黒目に映り込むキャッチライトの一部を消去してもよい。例えば、撮影画像におけるキャッチライトの白色の部分を黒目と同色（例えば、茶色又は黒色）に変更してもよい。
【０１５０】
上記実施の形態１においては、下ストロボユニット９０Ｂ内の上側の空間のストロボ９１Ｂの上方（利用者側）に反射板９４を設けたが、別のストロボ９１の近傍（利用者側）に反射板９４を設けてもよい。反射板９４を設けることによって、光を減衰させることができるため、撮影画像における白とびや陰影の発生を抑制することができる。
【０１５１】
（ソフトウェアによる実現例）
写真シール作成装置１の機能は、集積回路（ＩＣチップ）などに形成された論理回路（ハードウェア）によって実現してもよいし、ＣＰＵ（Central Processing Unit）を用いてソフトウェアによって実現してもよい。
【０１５２】
後者の場合、写真シール作成装置１は、各機能を実現するソフトウェアであるプログラムの命令を実行するＣＰＵ、前記プログラムおよび各種データがコンピュータ（またはＣＰＵ）で読み取り可能に記録されたＲＯＭ（Read Only Memory）または記憶装置（これらを「記録媒体」と称する）、前記プログラムを展開するＲＡＭ（Random Access Memory）などを備えている。そして、コンピュータ（またはＣＰＵ）が前記プログラムを前記記録媒体から読み取って実行することにより、本発明の目的が達成される。前記記録媒体としては、「一時的でない有形の媒体」、例えば、テープ、ディスク、カード、半導体メモリ、プログラマブルな論理回路などを用いることができる。また、前記プログラムは、該プログラムを伝送可能な任意の伝送媒体（通信ネットワークや放送波など）を介して前記コンピュータに供給されてもよい。なお、本発明は、前記プログラムが電子的な伝送によって具現化された、搬送波に埋め込まれたデータ信号の形態でも実現され得る。
【０１５３】
上記の実施の形態で示した遮蔽板９８の思想は、写真シール作成装置１に限らず、人物の画像を撮影する画像撮影装置に広く適用することができる。
【０１５４】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１５５】
本開示は、撮影画像をシール紙に印刷する又は外部装置に送信する写真シール作成装置として有用である。
【符号の説明】
【０１５６】
１      写真シール作成装置
１１    撮影ユニット
１２    編集ユニット
２１    撮影操作部
２２    背景部
２３    撮影補助部
２９    印刷部
８０    カメラユニット
８１    カメラ
８２    タッチパネルモニタ
９０Ａ  上ストロボユニット
９０Ｂ  下ストロボユニット
９０Ｃ  天井ストロボユニット
９０Ｄ  右側面ストロボユニット
９０Ｅ  左側面ストロボユニット
９１、９１Ａ、９１Ｂ、９１Ｃ、９１Ｄ  ストロボ
９２、９２Ａ、９２Ｂ、９２Ｃ、９２Ｄ、９２Ｅ、９２Ｆ  ＬＥＤランプ
９４    反射板
９５    仕切り板
９８    遮蔽板
９９    ゴム
１０１、１０６  筐体
１０２、１０４  収容部
１０３、１０５  拡散カバー
２０３  通信部
Ａ１−１  撮影空間前方部
Ａ１−２  撮影空間中央部
Ａ１−３  撮影空間後方部
Ａ１−２３  利用者立ち位置領域
ＣＬ１、ＣＬ２、ＣＬ３  キャッチライト
【図１】
2019032374.tif 000003
【図２】
2019032374.tif 000004
【図３】
2019032374.tif 000005
【図４】
2019032374.tif 000006
【図５】
2019032374.tif 000007
【図６】
2019032374.tif 000008
【図７】
2019032374.tif 000009
【図８】
2019032374.tif 000010
【図９】
2019032374.tif 000011
【図１０】
2019032374.tif 000012
【図１１】
2019032374.tif 000013
【図１２】
2019032374.tif 000014
【図１３】
2019032374.tif 000015
【図１４】
2019032374.tif 000016
【図１５】
2019032374.tif 000017
【図１６】
2019032374.tif 000018
【図１７】
2019032374.tif 000019
【図１８】
2019032374.tif 000020
【図１９】
2019032374.tif 000021
【図２０】
2019032374.tif 000022
【図２１】
2019032374.tif 000023